(57)【要約】【課題】内容物の入った容器である被配達物が被配達物受け体に入れられていないにも拘らず、被配達物が被配達物受け体に入れられていると誤って報知することを防止できる。【解決手段】内容物が容器内に入れられた状態で配達される被配達物を受ける被配達物受け体３と、太陽光が照射されることにより電流を発生する太陽電池１０と、前記太陽電池１０に対して、遮光位置及び非遮光位置に移動可能な遮光手段１２と、前記容器が被配達物受け体３内に入れられていることを検知する容器検知手段８と、前記太陽電池１０により電流が発生しており、且つ、前記容器検知手段８により、容器が被配達物受け体３内に入れられていることを検知した場合に動作する報知手段１３と、を備えたことを特徴とする被配達物受けシステム１である。【選択図】  図２
2004313248.tif 000002
【特許請求の範囲】
【請求項１】
内容物が容器内に入れられた状態で配達される被配達物を受ける被配達物受け体と、
太陽光が照射されることにより電流を発生する太陽電池と、
前記太陽電池に対して、遮光位置及び非遮光位置に移動可能な遮光手段と、
前記容器が被配達物受け体内に入れられていることを検知する容器検知手段と、
前記太陽電池により電流が発生しており、且つ、前記容器検知手段により、容器が被配達物受け体内に入れられていることを検知した場合に動作する報知手段と、
を備えたことを特徴とする被配達物受けシステム。
【請求項２】
前記被配達物受け体は、牛乳ビンに牛乳が入れられた状態で配達される牛乳入り牛乳ビンを受ける牛乳受け箱であることを特徴とする請求項１に記載の被配達物受けシステム。
【請求項３】
前記報知手段は、前記被配達物受け体に備えられた音出力装置であることを特徴とする請求項１又は２に記載の被配達物受けシステム。
【請求項４】
前記遮光手段は、手動により、遮光位置及び非遮光位置に移動可能な遮光カバーであることを特徴とする請求項１〜３の何れかに記載の被配達物受けシステム。
【請求項５】
前記容器検知手段は、容器の加重を検知することにより、容器が被配達物受け体内に入れられていることを検知する加重検知手段であることを特徴とする請求項１〜４の何れかに記載の被配達物受けシステム。
【発明の詳細な説明】
【０００１】
【発明の属する技術分野】
本発明は、牛乳受け等の被配達物受け体に、牛乳入り牛乳ビン等の被配達物が入れられたことを検知する機能を備えた被配達物受けシステムに関するものである。
【０００２】
【従来の技術】
従来から、郵便受けに郵便物が投函されたことを検知する検知手段、及び、検知手段による検知結果に基づいて配達検知信号を送信する送信動作を実行する送信手段を設けた郵便受と、送信手段による送信動作を実行させる電源手段としての太陽電池システムと、送信手段から送信された配達検知信号を受信する受信手段と、受信手段による配達検知信号の受信に基づいて配達物の投函状態を報知する報知手段と、を備えた郵便受システムが知られている（例えば、特許文献１等を参照。）。
【０００３】
【特許文献１】
特開２０００−３１２６４１号公報
【０００４】
【発明が解決しようとする課題】
しかしながら、従来技術としての、郵便受システムの被配達物受けシステムにおいては、被配達物は郵便物であるため、郵便物が郵便受けに投函された場合に、確実に報知手段による報知をすれば良く、例えば、郵便物の種類、その他の条件により、郵便物が郵便受けに投函されたにも拘らず、報知する場合と報知しない場合を変更する必要はなかった。
【０００５】
これに対し、例えば、牛乳ビン受に牛乳ビンが入れられる場合、夜明け前や夜明け直後に牛乳配達人により牛乳入り牛乳ビンが配達される場合に加え、牛乳ビン受の所有者である牛乳購入者等により、牛乳を飲用した後に空となった牛乳ビンが入れられ、その後、牛乳配達人により空の牛乳ビンが回収される場合がある。
【０００６】
このように、空の牛乳ビンが牛乳ビン受に入れられた場合に、報知手段により、牛乳ビンが入れられた旨を報知すれば、牛乳購入者やその家族等は、誤って、牛乳入り牛乳ビンが牛乳ビン受に入っていると認識し、牛乳ビン受の蓋を開ける動作が無駄になったり、牛乳ビン受の蓋を開けた際に牛乳入り牛乳ビンがなくて落胆したり、また、空の牛乳ビンが牛乳ビン受に入れられているにも拘らず、報知手段により音響等による報知をすることで、周囲の環境に悪影響を及ぼす恐れがあった。
【０００７】
本発明は、このような問題点に鑑みてなされたものであり、内容物の入った容器である被配達物が被配達物受け体に入れられていないにも拘らず、被配達物が被配達物受け体に入れられていると誤って報知することを防止した被配達物受けシステムを提供することを目的とする。
【０００８】
【課題を解決するための手段】
本発明は、内容物が容器内に入れられた状態で配達される被配達物を受ける被配達物受け体と、太陽光が照射されることにより電流を発生する太陽電池と、前記太陽電池に対して、遮光位置及び非遮光位置に移動可能な遮光手段と、前記容器が被配達物受け体内に入れられていることを検知する容器検知手段と、前記太陽電池により電流が発生しており、且つ、前記容器検知手段により、容器が被配達物受け体内に入れられていることを検知した場合に動作する報知手段と、を備えたことを特徴とする被配達物受けシステムである。
【０００９】
この発明によれば、被配達物における容器が被配達物受け体内に入れられていることを検知した場合に動作する報知手段を備えたので、配達人により被配達物受け体内に被配達物が配達されたことを、容易に認識できる。特に、被配達物が、牛乳入り牛乳ビン等の変質しやすい食品である場合、長時間の屋外での放置により牛乳等は劣化しやすいが、この場合に有効である。
【００１０】
また、この発明によれば、太陽電池により報知手段を動作させるための電流を発生させているので、たとえ、配達人により、夜明け前に被配達物が配達されたとしても、夜明け後に、初めて報知手段による報知がなされ、夜明け前、例えば報知音又は報知光等の報知によって、周囲環境に悪影響を及ぼすことを防止できる。
【００１１】
また、この発明によれば、太陽電池に対して、遮光位置及び非遮光位置に移動可能な遮光手段を備えているので、被配達物受け体内に、例えば、空の牛乳ビン等である内容物のない容器が入れられている場合、遮光手段を遮光位置に移動させておけば、報知手段が、誤って被配達物が被配達物受け体内に入れられている旨の報知をしてしまうことを防止でき、被配達物の受取人に無駄な動作をさせたり、周囲環境に悪影響を及ぼしたりすることを防止できる。
【００１２】
また、前記被配達物受け体は、牛乳ビンに牛乳が入れられた状態で配達される牛乳入り牛乳ビンを受ける牛乳受け箱であることを特徴としている。
【００１３】
また、前記報知手段は、前記被配達物受け体に備えられた音出力装置であることを特徴としている。
【００１４】
この構成によれば、配達物が被配達物受け体に入れられた場合に音により報知するので、配達物受取人等は、配達物が被配達物受け体に入れられた旨を確実に認識できる。
【００１５】
また、前記遮光手段は、手動により、遮光位置及び非遮光位置に移動可能な遮光カバーであることを特徴としている。
この構成によれば、簡単な構成により、配達物受取人等が、内容物がない容器を被配達物受け体に入れた場合には、手動で、遮光カバーを遮光位置へ移動して、誤って報知手段が報知することを防止でき、また、配達人が内容物が入れられた容器を被配達物受け体に入れた場合には、手動で、遮光カバーを非遮光位置へ移動して、報知手段による報知を行うことで、確実に配達物が被配達物受け体に入れられた旨を報知できる。
【００１６】
前記容器検知手段は、容器の加重を検知することにより、容器が被配達物受け体内に入れられていることを検知する加重検知手段であることを特徴としている。
【００１７】
この構成によれば、簡単な構成により、容器が被配達物受け体内に入れられていることを検知することができる。
【００１８】
【発明の実施の形態】
本発明の実施の形態による被配達物受けシステム１につき、図面を参照として説明する。
図１は、本発明の実施の形態による被配達物受けシステム１につき、被配達物としての牛乳入り牛乳ビン２が入った状態を示す概略構成図である。図２は、本発明の実施の形態による被配達物受けシステム１の詳細構成図である。図３は、本発明の実施の形態による被配達物受けシステム１の結線図である。
【００１９】
図１におけるように、本発明の実施の形態による被配達物受けシステム１では、被配達物受け体としての牛乳ビン受け箱３内に、２本の牛乳入り牛乳ビン２が入れられている。牛乳ビン受け箱３は、直射日光により牛乳が変質することを防止するため、透明でない木製やプラスチック製等の直方形状箱となっている。
牛乳ビン受け箱３内に、２本の牛乳入り牛乳ビン２が入れられている状態において、遮光蓋１２は、２点鎖線における非遮光位置にある。
【００２０】
図２におけるように、本発明の実施の形態による被配達物受けシステム１は、受箱本体４および受箱蓋５を有し、牛乳ビン１９（図１参照）を受けるものである牛乳ビン受け箱３と、重量受板６、重量受板支持バネ７、及び加重スイッチ８を有し、容器の加重を検知することにより容器が受箱本体４内に入れられていることを検知する加重検知手段である容器検知手段９と、太陽光が照射されることにより電流を発生する太陽電池１０と、太陽電池１０に対して、手動で遮光位置及び非遮光位置に移動可能であり、遮光手段としての遮光蓋１２と、容器が受箱本体４内に入れられていることを検知した場合に動作する報知手段としての音響素子（音出力装置）１３および変圧器１４を含む電子回路１５と、加重スイッチ８、太陽電池１０、及び電子回路１５を電気的に接続する電気結線１６と、を備えている。
【００２１】
図１に述べたように、受箱本体４および受箱蓋５は、直射日光により牛乳が変質することを防止するため、透明でない木製やプラスチック製等の直方形状箱となっている。
受箱蓋５は、上方から牛乳ビン１９を入れられるように、その全体が、受箱本体４に対して、ヒンジ部１７を起軸として回動可能とされている。
【００２２】
重量受板６は、牛乳ビン１９を載せる台板であり、一端部が受箱本体４の底壁１８に備えられていると共に、他端部が受箱本体４の底壁１８に、間隔を置いて２つ設けられた重量受板支持バネ７を介して備えられている。重量受板６は、牛乳ビン１９が載せられていない状態において、重量受板支持バネ７により、上方へ持ち上げられており、加重スイッチ８に接触していない。重量受板６は、牛乳ビンが載せられた状態において、重量受板支持バネ７に抗して、下方へ移動し、加重スイッチ８に接触する。重量受板６が加重スイッチ８に接触すると、加重スイッチ８がオン状態となり、電気結線１６を介して、その情報が回路へ伝えられる。
【００２３】
受箱蓋５には、太陽電池１０が備えられている。太陽電池１０は、太陽光が照射されることにより発電して電流を発生するものであり、この電流は、電気結線１６を介して、音響素子１３および変圧器１４を含む電子回路１５へ伝達される。
【００２４】
遮光蓋１２は、一端部が受箱蓋５に固定されたヒンジ部１１となって、太陽電池１０に対し、遮光位置と非遮光位置との間で、回動可能となっている。
音響素子１３による音響は、単なるブザーでも良いが、音楽を記録したＩＣチップを使用すると、朝にふさわしい音楽を流すこともできる。
【００２５】
図３におけるように、太陽電池１０、変圧器１４、加重スイッチ８、音響素子（音出力装置）１３が、電気結線１６を介して接続されており、太陽電池１０、変圧器１４、音響素子１３は、それぞれ接地されている。
【００２６】
次に、本発明の実施の形態による被配達物受けシステム１における動作につき、説明する。
まず始めに、牛乳配達人が、夜明け前に、受箱蓋５を開けて、受箱本体４内に牛乳入り牛乳ビン２を入れると、重量受板６が下方へ移動して加重スイッチ８がオン状態となる。それから、受箱蓋５を閉じて、遮光蓋１２を、遮光位置から非遮光位置へ移動させる。
【００２７】
この状態では、夜明け前であるため、太陽電池１０が発電することによる電流は発生しておらず、音響素子１３により音は出されていない。
その後、日の出により、遮光蓋１２が非遮光位置にあるため、太陽電池１０が発電することにより電流が発生する。
【００２８】
また、既に、加重スイッチ８がオン状態となっているため、電流は、変圧器１４で電圧が調整されて、加重スイッチ８を通り、音響素子１３に達して、音が出て、牛乳入り牛乳ビン２の配達を知らせる。
尚、音響素子１３ではなく、図示しない発光素子を使用することにより、音ではなく、発光により配達を知らせることもできる。
【００２９】
受箱蓋５を開けて、受箱本体４内から牛乳入り牛乳ビン２を取り出すと、重量受板６が上方へ移動して加重スイッチ８がオフ状態となり、音響素子１３による音は鳴り止む。
その後、空となった牛乳ビン１９を、受箱本体４内へ入れる際には、遮光蓋１２を遮光位置にした状態で行うことにより、空となった牛乳ビン１９が受箱本体４内へ入っていても音響素子１３による音が出ることはない。
翌日の夜明け前に、牛乳配達人が、牛乳入り牛乳ビン２を受箱本体４内へ入れる際には、受箱蓋５を開けて空の牛乳ビン１９を取り出した後で、上記動作を再度、行う。
【００３０】
【発明の効果】
以上、説明したように、本発明によれば、被配達物における容器が被配達物受け体内に入れられていることを検知した場合に動作する報知手段を備えたので、配達人により被配達物受け体内に被配達物が配達されたことを、容易に認識できる。特に、被配達物が、牛乳入り牛乳ビン等の変質しやすい食品である場合、長時間の屋外での放置により牛乳等は劣化しやすいが、この場合に有効である。
【００３１】
また、この発明によれば、太陽電池により報知手段を動作させるための電流を発生させているので、たとえ、配達人により、夜明け前に被配達物が配達されたとしても、夜明け後に、初めて報知手段による報知がなされ、夜明け前、例えば報知音又は報知光等の報知によって、周囲環境に悪影響を及ぼすことを防止できる。
【００３２】
また、この発明によれば、太陽電池に対して、遮光位置及び非遮光位置に移動可能な遮光手段を備えているので、被配達物受け体内に、例えば、空の牛乳ビン等である内容物のない容器が入れられている場合、遮光手段を遮光位置に移動させておけば、報知手段が、誤って被配達物が被配達物受け体内に入れられている旨の報知をしてしまうことを防止でき、被配達物の受取人に無駄な動作をさせたり、周囲環境に悪影響を及ぼしたりすることを防止できる。
【図面の簡単な説明】
【図１】本発明の実施の形態による被配達物受けシステムにつき、被配達物としての牛乳入り牛乳ビンが入った状態を示す概略構成図である。
【図２】本発明の実施の形態による被配達物受けシステムの詳細構成図である。
【図３】本発明の実施の形態による被配達物受けシステムの結線図である。
【符号の説明】
１．被配達物受けシステム、    ２．牛乳入り牛乳ビン、    ３．牛乳ビン受け箱（被配達物受け体）、    ４．受箱本体、    ５．受箱蓋、    ６．重量受板、    ７．重量受板支持バネ、    ８．加重スイッチ（容器検知手段）、    ９．容器検知手段、    １０．太陽電池、    １１．ヒンジ部、    １２．遮光蓋（遮光手段）、    １３．変圧器、    １４．音響素子、    １５．電子回路、１６．電気結線、    １７．ヒンジ部、    １８．底壁、    １９．牛乳ビン（容器）
【図１】
2004313248.tif 000003
【図２】
2004313248.tif 000004
【図３】
2004313248.tif 000005